(57)【特許請求の範囲】
【請求項１】
雨避けガードは、円弧状に加工された、ガードとこれをスライドして重ね合わせるフレームと任意の位置で固定する為のスライドストッパー、二対を備え、これを自転車のハンドル外側に装着するための取り付けベース、からなる装着固定部で構成された自転車両手運転用雨避け装置です。
【請求項２】
雨避けガード（１）、（図５−１）、参照は、ガード（３）透明樹脂板，１個、フレーム（４）断面コの字型、合金材、２個を、それぞれ、の半円弧状に加工を施し、補強板（１６）合金材、の平板、とともに、ガード（３）にビスで固定する
また、ガード（５）透明樹脂板，フレーム（６）断面コの字型合金材、２個、をそれぞれ、半円弧状に加工を施す、但し、それぞれ左右の終端部２００ｍｍは直線に加工をした物と、補強板（１５）合金材、の平板２個を上下に、ガード（５）に、それぞれビスで固定する、此の時フレーム（６）の終端部の直線部分にパイプ（１０）合金材、２個を、ビスで固定する。
この加工されたガード（３）とガード（５）により、雨避けガード（１）が構成されている。
【請求項３】
フレーム（４、６）の、コの字型面を交互にかみ合わせ、ガード（３、５）がスムーズにスライドして重ね合わさり雨の当たる面積の調整が出来る。（図６）（Ａ）、ガード（３、５）を任意の位置で止める為、フレーム（４、６）のコの字型面の交互にかみ合わされた、間に山谷型状のの金材、スプリング、スライドストッパー（１４）、４個を、フレーム（４、６）に、それぞれ固定する事によりフレーム（４、６）を、重ね合せ任意の、山谷の位置で簡単に固定、移動の調整が出来る。
ガードとフレームとスライドストッパーの相互詳細関係図（図７）の（Ａ，Ｂ）
【請求項４】
請求項２、記載のフレーム（６）の終端部に固定した２個のパイプ（１０）に装着固定部（２）の２本のボルト（１１）を挿入しナット（１６）で固定する、此れにより雨避けガード（１）と、装着固定部（２）を、容易に連結、着脱が出来る。図５（１、２）
装着固定部（２）は、雨避けガード（１）を自転車に容易に取り付、取り外しが出来る装置です、（図５−２）参照、装着固定部（２）は取り付ベース（７）角型パイプ、合金材、長さ３５０ｍｍの左右の２ケ所にのネジ穴を施し此れに、固定ボルト（１１）、を２ケ所ネジ込み取り付ける。
装着固定部（２）を自転車のハンドルに固定する為の、パイプクリップ（１２）、２個を、ベース（７）の側面に取り付ける図５（２）参照
雨避けガード（１）を利用しなくなった時は、止めナット（１６）を取り除くことにより雨避けガード（１）を装着固定部（２）より取り外すことが出来る、
またパイプクリップ（１３、１２）を解除状態にすると装着固定部（２）を自転車より取外す事が容易にできる。
【請求項５】
請求項１から４記載の雨除けガードは簡素化のためガードとフレームをそれぞれ一体にして、コ型の溝を付けて成型加工することにより、軽量強固になり工程も少なく組立も簡単に行え、価格も３分の１程度に押えることが出来、デザイン性に富んだ自転車両手運転用雨避け装置。
【発明の詳細な説明】
【技術分野】
【０００１】
本発明は、雨天に傘をささずに両手で安全に自転車に乗る事ができるために用いる自転車両手運転用雨避け装置に関するものである。
【背景技術】
【０００２】
一般に、雨天自転車に乗るには、雨具を着用するか、傘をさして片手で運転するか、自転車に傘固定器具を取付ける方法がありますが、視界も悪く又安定した走行ができず交通事故多発の原因になります。
【０００３】
従来の物は傘を自転車に固定したりハンドルから荷台まで覆う装置ですが、特に幌又はシート等透明なビニールを使用して幌を袋状にした中にパイプを通しパイプを伸縮する構造などあるが、後者はパイプを何度も縮めたり伸ばしたり繰り返すと、ビニールが割れてきたり、キズが付いたりビニールはグシャグシャになったり寒さには硬くなり２から３回くらいの使用しか出来ず、また透明性が失われ視界も悪く取付け取り外しも面倒という問題点が多い装置です。（特許文献１参照）
【先行技術文献】
【特許文献】
【０００４】
【特許文献１】実用新案登録第３１３９２６３号
【特許文献２】実用新案登録第３０６４３５５号
【特許文献３】実用新案登録第３１３０３８０号
【特許文献４】実公平０３−１６７９２号
【発明の概要】
【発明が解決しようとする課題】
【０００５】
上記の従来装置は、視界が悪く取付け取り外しが不便と言う問題により交通事故の多発を招く恐れのある装置です。
この難点を解消して安全に自転車に乗る事ができる装置の発明が当自転車両手運転用雨避け装置である。
【課題を解決するための手段】
【０００６】
本発明の自転車両手運転用雨避け装置は、前記の欠点を長所に転換した装置です。透明性に優れ視界が良く、取付け取り外しが簡単に出来、何回の使用にも耐えられて、安全な走行を可能にするための装置であり、従来の装置とはまったく違う機構である、図１に示す如く雨避けガード（１）と、自転車のハンドルの外側に雨避けガード（１）を固定する装着固定部（２）より構成されている、視界を遮らず雨の強弱により２枚のガードをスライドして重ね合わせ雨を防ぐ範囲の調整が出来、視界も良く簡単に自転車に取付け取り外しが出来る装置です。
【０００７】  図３は１人乗り自転車のハンドルに、雨避けガード（１）を装着全開にした時（Ａ）晴天時に雨避けガード（１）を閉じた状態（Ｂ）を示した図面です、また図４は前籠、子供席付自転車のハンドルに雨避けガード（１）を装着して全開にした時（Ａ）また晴天時雨避けガード（１）を閉じた状態（Ｂ）を示した図面です、雨避けガード（１）は、水を弾き疵が付きにくく透明性が高い樹脂を使用しており、雨天晴天時に関わらず又何回でも使用する事が出来、デザイン性に富んだ乗り手に安全と優しさを提供できる自転車両手運転用雨避け装置です。
【発明の効果】
【０００８】    自転車両手運転用雨避け装置は図１の正面図（Ａ）側面図（Ｂ）に示すように従来の構造とは違い２枚のガードに円弧状のアールを付けたものをガイドに沿って重ね合わせて任意に、雨を防ぐ範囲の調整が簡単に出来る構造を有した雨避けガード（１）です。
ビニールシート、幌の様に折り目が付いたり、透明度が悪くなったり、寒さにより硬くなったりすることがなく、雨天晴天にかかわらず使用する事が出来る装置。【０００９】      前項０００８、記載の雨避けガード（１）は、晴天時など使用しない時は、図３の（Ｂ）図４の（Ｂ）に示すようにスライドして雨避けガード（１）を重ね合わせて小さくする、又雨避けガード（１）を装置固定部（２）より取り外す事が出来る（図５）、又完全に取り外す場合は装着固定部（２）雨避けガード（１）お含み軸固定金具（９）取付ベース（７）延長支持台（８）より簡単に取り外すことの出来る機構を有している。【００１０】
此れにより従来の取付け取り外しの面倒視界の悪さデザイン性の悪さから解放され安全な運転ができ従来の物とは機構、構造が全く違うお洒落な自転車両手運転用雨避け装置である
【００１１】
雨の日に自転車の片手運転走行による交通事故増加に伴い自転車交通法が規制強化されましたが、法律で縛っても便利な乗り物である自転車の事故は減少するどころか増加の様相です．健康に良く人力で簡単に移動できる便利な安全な乗り物にする為に、本自転車両手運転用雨避け装置の取付けにより片手走行の無い安全で快適な乗り物となり、サイクリング通勤買物等に貢献大であり、現在のエコロジーにマッチした製品であり需要も高まり民間の活性化に寄与する事のできる装置である。
【図面の簡単な説明】
【００１２】
【図１】本発明に係る雨避けガードを自転車ハンドルに装着した正面図（Ａ）側面図（Ｂ）
【図２】雨避けガード全開時（Ａ）と閉じる（Ｂ）の相互関係機構図、
【図３】一人乗り自転車のハンドルに雨避けガードを、装着して全開にした時（Ａ）一人乗り自転車のハンドルに雨避けガードを、装着して閉じた時の（Ｂ）
【図４】前籠子供席付自転車のハンドルに装着した雨避けガードを、全開にした時（Ａ）前籠子供席付自転車のハンドルに装着した雨避けガードを、閉じた時（Ｂ）
【図５】雨避けガード（１）と装着固定部（２）の相互関係組立図
【図６】実施例のスライド詳細部分を示す図、ガード、フレーム構成図（Ａ）同上、ガード、フレーム一体に成型加工図（Ｂ）
【図７】ガードとフレームとスライドストッパーの相互詳細関係図、      スライド重ね合せた時の相互関係詳細図面（Ａ）      ガード、フレームをスライドした時の相互関係詳細図面（Ｂ）
【発明を実施するための形態】
【００１３】      自転車両手運転用雨避け装置は自転車のハンドルの外側に設置して、乗り手の身体及び頭上を覆う装置、正面図（図１のＡ）側面図（図１のＢ）に示す様に自転車のハンドルの外側に取り付けた雨避けガード（１）は、円弧状透明ガード（３，５）ガードを固定してスライドする円弧状フレーム（４，６）を備え、閉じた時、開いた時に、ガードとフレームを任意の位置に固定するスライドストッパー（１４）図７、また雨避けガード（１）を支え、自転車に固定する為の装着固定部（２）より構成されている、図２は、ガード（３、５）の相互関係機構図。
【００１４】  雨避けガード（１）、（図５−１）、参照は、ガード（３）透明樹脂板，縦５６０ｍｍ×横３５０ｍｍ×厚み２ｍｍ１個、フレーム（４）断面コの字型合金材２個を、それぞれ、半径７９０ｍｍの円弧状に加工を施し、補強板
（１６）合金材、の平板、とともに、ガード（３）にビスで固定する。
また、ガード（５）透明樹脂板、フレーム（６）断面コの字型合金材２個、をそれぞれ、半径７９０ｍｍの円弧状に加工を施す、但し、それぞれ左右の終端部２００ｍｍは直線に加工をした物と、補強板（１５）合金材の平板２個を上下に、ガード（５）に、それぞれビスで固定する、此の時フレーム（６）の終端部の直線部分にパイプ（１０）２個を、ビスで固定する。この加工されたガード（３）とガード（５）により、雨避けガード（１）が構成されている。
【００１５】  フレーム（４、６）の、コの字型面を交互にかみ合わせ、ガード（３、５）がスムーズにスライドして重ね合わさり雨の当たる面積の調整が出来る。図６（Ａ）、
【実施例１】
【００１６】  ガード（３、５）を任意の位置で止める為、フレーム（４、６）のコの字型面の交互にかみ合わされた、間に山谷型状のスプリング、スライドストッパー（１４）、４個を、フレーム（４、６）に、それぞれ固定する事によりフレーム（４、６）を、重ね合せ任意の、山谷の位置で簡単に固定、移動の調整が出来る。
ガードとフレームとスライドストッパーの相互詳細関係図（図７）の（Ａ，Ｂ）
【実施例２】
【００１７】  前項１４、記載のフレーム（６）の終端部に固定した２個のパイプ（１０）に装着固定部（２）の２本のボルト（１１）を挿入しナット（１６）で固定する、此れにより雨避けガード（１）と、装着固定部（２）を、容易に連結、着脱が出来る。図５（１、２）
【実施例３】
【００１８】  装着固定部（２）は、雨避けガード（１）を自転車に容易に取り付、取り外しが出来る装置です、（図５−２）参照、装着固定部（２）は取り付ベース（７）角型パイプ、の左右の２ケ所にネジ穴を施し此れに、固定ボルト（１１）、を２ケ所ネジ込み取り付ける。
装着固定部（２）を自転車のハンドルに固定する為の、パイプクリップ（１２）、２個を、ベース（７）の側面に取り付ける図５（２）参照【００１９】  装着固定部（２）を安定させる為、軸固定金具（９）を、取り付ベース（７）の底部より立ち上がっている固定ポルト（１１）に重ね合わせて取り付、先端は自転車前車輪軸に取付、支えとして固定する。また、図４，５に示すごとく自転車に前籠子供席を付ける人の為に延長支持台（８）を取り付ベース（７）の左右両端に、固定する。
此の時自転車のハンドルに固定する為のパイプクリップ（１３）２個は、延長支持台の手前側面に取り付ける。【００２０】雨避けガード（１）を利用しなくなった時は、止めナット（１６）を取り除くことにより雨避けガード（１）を装着固定部（２）より取り外すことが出来る、またパイプクリップ（１３、１２）を解除状態にすると装着固定部（２）を自転車より取り外す事が容易にできる。【００２１】
図６のＢは雨除けガード（１）の簡素化のためガード（３）とフレーム（４）ガード（５）とフレーム（６）をそれぞれ一体にしてコ型の溝を付けて成型加工することにより、軽量強固になり工程も少なく組立も簡単に行えて価格も３分の１程度に押えることが出来、デザイン性に富んだ装置。
【産業上の利用可能性】
【００２２】
自転車両手運転雨避け装置は簡単に取付、取り外しができ視界も良く、本装置を自転車に取付て走行する事により法律を守った安全な乗り物になり又紫外線カットで健康上身体によくデザインに優れた、自然な乗り物としての需要が高まり産業界、民間の活性化に貢献する自転車両手運転雨避け装置です。
【符号の説明】
【００２３】
１  雨避けガード
２  装置固定部
３  ガード
４  フレーム
５  ガード
６  フレーム、
７  取付けベース
８  延長支持台
９  軸固定金具
１０パイプ
１１ボルト
１２パイプクリップ
１３パイプクリップ
１４スライドストッパー
１５補強板
１６ナット
【図１】
0005273404.tif 000002
【図２】
0005273404.tif 000003
【図３】
0005273404.tif 000004
【図４】
0005273404.tif 000005
【図５】
0005273404.tif 000006
【図６】
0005273404.tif 000007
【図７】
0005273404.tif 000008